(57)【要約】【課題】  前後を反転させてリバーシブルなバックルとして使用できるようにする。【解決手段】  複数の止め孔Ｂ２を両端部に有するベルトＢと組み合せて使用する衣服ベルト用バックルＡは、ベルトの両端部Ｂ１、Ｂ′をそれぞれ左右から挿通し得るベルト挿通スペース４を有する前後一対のバックル・プレート１、２からなるバックル本体Ａ′を備え、後部バックル・プレート２に対し左方又は右方に張出する前部バックル・プレート１の張出端部１Ａの内側と、該張出端部の張出方向とは反対の方向に張出する後部バックル・プレート２の張出端部２Ａの内側とに、係止ピン５、５′が１本又は複数本づつそれぞれ突設ざれている。一方のバックル・プレート側の係止ピンにベルトの一方の端部側の止め孔を、他方のバックル・プレート側の係止ピンにベルトの他方の端部側の止め孔をそれぞれ係合させて該ベルトを止着し得るようにする。【選択図】  図９  
0003113664.tif 000002
【実用新案登録請求の範囲】
【請求項１】
複数の止め孔をその両端部に長手方向に適宜の間隔で穿設してなるベルトと組み合せて使用する衣服ベルト用バックルにおいて、左右に部分的にずらせるとともに、その間に前記ベルトの両端部をそれぞれ左右から挿通し得るベルト挿通スペースを形成すべく前後に所要の間隔をあけて互いに平行に結合した前後一対のバックル・プレートからなるバックル本体を備え、後部のバックル・プレートに対し左方又は右方に張出する前部のバックル・プレートの張出端部の内側と、該張出端部の張出方向とは反対の方向に張出する後部バックル・プレートの張出端部の内側とに、係止ピンが１本又は複数本づつそれぞれ突設されており、一方のバックル・プレート側の係止ピンに前記ベルトの一方の端部側の止め孔を、他方のバックル・プレート側の係止ピンに前記ベルトの他方の端部側の止め孔をそれぞれ係合させて該ベルトを止着し得るようにする一方、前記バックル本体の前後を反転させてリバーシブルなバックルとして使用し得るようにしたことを特徴とする衣服ベルト用バックル。
【請求項２】
請求項１に記載の衣服ベルト用バックルにおいて、前記前後一対のバックル・プレートが互いに異なる形状に形成されていることを特徴とする衣服ベルト用バックル。
【請求項３】
請求項１に記載の衣服ベルト用バックルにおいて、前記前後一対のバックル・プレートがそれぞれ四角形、多角形、円形、楕円形又はハート形のプレートからなっていることを特徴とする衣服ベルト用バックル。
【請求項４】
請求項１又は２に記載の衣服ベルト用バックルにおいて、各バックル・プレートの表面に着脱交換自在に貼着し得るようにした異なるデザインを施した複数の装飾片を付属品として具備することを特徴とする衣服ベルト用バックル。
【請求項５】
請求項１、２又は３に記載の衣服ベルト用バックルにおいて、各係止ピンがベルトの引張力が作用する方向とは反対の方向に折曲されたフック状の頭部を具備することを特徴とする衣服ベルト用バックル。
【考案の詳細な説明】
【技術分野】
【０００１】
本考案は、バックルとベルトがそれぞれ別体に形成され、互いに分離しており、使用時に該ベルトと組み合せて使用する衣服ベルト用バックルに関するものである。
【背景技術】
【０００２】
複数の止め孔をその両端部に長手方向に適宜の間隔で穿設してなるベルトと組み合せて使用する上記の如き衣服ベルト用バックルは、例えば、下記文献に記載されているように、既に知られている。
【特許文献１】特開平１１−３５０２２４号公報
【０００３】
この種の公知の衣服用バックルにあっては、一方向からしか締め具合が調整できない、ベルトの一端が固着されているタイプの従来周知のバックルと異なり、ベルト本体の両端側から容易にベルトの締め具合の調整をすることができるほか、バックルの交換が容易であるため、手軽にバックルを付け替えておしゃれを楽しむことができるという利点がある。
【考案の開示】
【考案が解決しようとする課題】
【０００４】
この種の従来公知の衣服ベルト用バックルにあっては、バックルは、一般に、１枚のバックル・プレートからなるバックル本体の内側に、内側に突出する係止ピンを形成してなるものであるため、その構造上、バックル本体の前後を反転させてリバーシブルなバックルとして使用することが不可能である。
【０００５】
また、この種の従来例にあっては、一般に、美観を高めるべく、バックル本体の表面に彫刻や装飾を施すため、製造コストが嵩み、販売価格が高くなってしまう。そして、バックルの交換が容易であるため、手軽にバックルを付け替えておしゃれを楽しむことができるとしても、そのためには意匠の異なるバックルを多数用意する必要があり、しかも多数用意するとなると、必然的に使用者の出費が嵩み、経済的負担が重くなってしまうという問題点や、使用中にベルトがバックルから外れてしまい易いといった問題点があった。
【０００６】
本考案は、従来例の有する上記の如き問題点に鑑みなされたものであって、ベルトの締め具合の調整が容易であることは勿論のこと、ベルトの着脱が容易であるほか、前後一対のバックル・プレートを具備するバックル本体の前後を反転させて楽しむことができるとともに、製造コストを低く抑えて廉価に提供することができるようにした衣服ベルト用バックルを提供することをその主たる目的とするものである。
また、本考案の他の目的は、バックルの交換を必要とすることなく、異なるデザインを施した複数の装飾片の中から適宜選んだ装飾片を前記各バックル・プレートの表面に貼着してデザインの変化やおしゃれを楽しむことができるようにした衣服用バックルを提供しようとするものである。
さらにまた、本考案の他の目的は、使用中にベルトがバックルから外れることがないようにした衣服用バックルを提供しようとするものである。
【課題を解決するための手段】
【０００７】
上記目的を達成するために、請求項１の考案に係る衣服ベルト用バックルは、複数の止め孔をその両端部に長手方向に適宜の間隔で穿設してなるベルトと組み合せて使用する衣服ベルト用バックルにおいて、左右に部分的にずらせるとともに、その間に前記ベルトの両端部をそれぞれ左右から挿通し得るベルト挿通スペースを形成すべく前後に所要の間隔をあけて互いに平行に結合した前後一対のバックル・プレートからなるバックル本体を備え、後部のバックル・プレートに対し左方又は右方に張出する前部のバックル・プレートの張出端部の内側と、該張出端部の張出方向とは反対の方向に張出する後部バックル・プレートの張出端部の内側とに、係止ピンが１本又は複数本づつそれぞれ突設されており、一方のバックル・プレート側の係止ピンに前記ベルトの一方の端部側の止め孔を、他方のバックル・プレート側の係止ピンに前記ベルトの他方の端部側の止め孔をそれぞれ係合させて該ベルトを止着し得るようにする一方、前記バックル本体の前後を反転させてリバーシブルなバックルとして使用し得るようにしたことを特徴とするものである。
【０００８】
また、請求項２の考案に係る衣服ベルト用バックルは、請求項１に記載の衣服用バックルにおいて、前記前後一対のバックル・プレートが互いに異なる形状に形成されていることを特徴とするものである。
【０００９】
さらに、請求項３の考案に係る衣服ベルト用バックルは、請求項１に記載の衣服ベルト用バックルにおいて、前記前後一対のバックル・プレートがそれぞれ四角形、多角形、円形、楕円形又はハート形のプレートからなっていることを特徴とするものである。
【００１０】
また、請求項４の考案に係る衣服ベルト用バックルは、請求項１、２又は３に記載の衣服ベルト用バックルにおいて、各係止ピンがベルトの引張力が作用する方向とは反対の方向に折曲されたフック状の頭部を具備することを特徴とするものである。
【００１１】
さらにまた、請求項５の考案に係る衣服ベルト用バックルは、請求項１又は２に記載の衣服ベルト用バックルにおいて、各バックル・プレートの表面に着脱交換自在に貼着し得るようにした異なるデザインを施した複数の装飾片を付属品として具備することを特徴とするものである。
【考案の効果】
【００１２】
本考案は、上述の如く構成されているので、これによれば、ベルトの締め具合の調整が容易であることは勿論のこと、ベルトの着脱が容易であるほか、前後一対のバックル・プレートを具備するバックル本体の前後を反転させて楽しむことができるとともに、製造コストを低く抑えて廉価に提供することができるようにした衣服ベルト用バックルを得ることができる。
【００１３】
また、本考案によれば、バックルの交換を必要とすることなく、異なるデザインを施した複数の装飾片の中から適宜選んだ装飾片を前記各バックル・プレートの表面に貼着してデザインの変化やおしゃれを楽しむことができるようにした衣服ベルト用バックルを得ることができる。
【００１４】
さらにまた、本考案によれば、使用中にベルトがバックルから外れることがないようにした衣服ベルト用バックルを得ることができる。
【考案を実施するための最良の形態】
【００１５】
以下、本考案の実施の形態につき、その実施例を示した図面を参照しながら詳細に説明する。
【実施例１】
【００１６】
図１〜７は、本考案の一実施例を示したもので、それらの図面において、Ａは、複数の止め孔Ｂ２をその両端部Ｂ１、Ｂ１´に長手方向に適宜の間隔で穿設してなる衣服用ベルトＢと組み合せて使用するバックルである。
【００１７】
このバックルＡの本体Ａ´は、左右に部分的にずらせるとともに、前後に所要の間隔をあけて互いに平行に結合した前後一対の横長の長方形をした板状のバックル・プレート１、２からなっている。この前後一対のバックル・プレート、すなわち、前部のバックル・プレート１と後部のバックル・プレート２とは、図示の例にあっては、ベルトＢの幅より若干大なる距離間隔を有する上下一対の互いに平行な連結板３を介して互いに堅固に結合され、その間に該ベルトＢの両端部Ｂ１、Ｂ１´をそれぞれ左右から挿通し得るベルト挿通スペース４が形成されている。
【００１８】
そして、図示の例にあっては、後部のバックル・プレート２に対し右方に張出する前部のバックル・プレート１の張出端部１Ａの内側と、該張出端部１Ａの張出方向とは反対の方向、すなわち左方に張出する後部バックル・プレート２の張出端部２Ａの内側とに、係止ピンが１本づつ突設されており、一方のバックル・プレート側の係止ピン５にベルトＢの一方の端部Ｂ１側の止め孔Ｂ２を、他方のバックル・プレート側の係止ピン５´に該ベルトの他方の端部Ｂ１′側の止め孔Ｂ２をそれぞれ係合させることにより、ベルトＢをバックルＡに止着することができるようになっている。
【００１９】
各係止ピン５、５´は、図６に示すように、断面円形の茎部５Ａ、５Ａ´と、ベルトＢの着用時に該ベルトの引張力が作用する方向とは反対の方向に折曲されたオーバル形をしたフック状の頭部５Ｂ、５´Ｂとからなっており、使用中にベルトＢがみだりに外れることがないように構成されているとともに、上述した如く張出端部１Ａ、２Ａの各内側にそれぞれ突設されていることと相俟って、ベルトＢの着脱操作が極めて容易である。
【００２０】
図８は、各バックル・プレート１、２の表面に着脱交換自在に貼着し得るようにした異なるデザインを施した付属品としての複数の装飾片Ｃを例示したものである。これらの装飾片Ｃの材質については特に限定はないが、美術書、カレンダー等の高級美術印刷に使用されるようなアート紙、コート紙等の塗工紙やステンレスシートの如き金属薄板が好ましい。金属薄板を使用する場合には、エンボス加工により、表面に任意の図柄、模様等を浮き出させたものを使用するとよい。各装飾片Ｃの裏面には粘着剤を塗布し、これに剥離片を貼着して保存しておくことができるようにするとよい。
【００２１】
図９は、ベルトＢの両端部Ｂ１、Ｂ１´をバックル本体Ａ´のベルト挿通スペース４にそれぞれ左右から挿通し、かつ、図７に示すように、一方のベルト端部Ｂ１側の止め孔Ｂ２の１つを前部バックル・プレート１側の係止ピン５に、他方のベルト端部Ｂ１´側の止め孔Ｂ２の１つを後部バックル・プレート２側の係止ピン５´にそれぞれ差し込んで係合させることにより、ベルトＢをバックルＡに止着した状態を図示すると同時に、前部バックル・プレート１の表面に装飾片Ｃを貼着した状態を示している。後部バックル・プレート２の表面にも異なるデザインを施した別の装飾片を貼着して使用することができる。
【実施例２】
【００２２】
図１０は、本考案の他の実施例を示したものであるが、この実施例が前記実施例と異なる点は、前部バックル・プレート１´の形状を円形とした点だけであり、他の点では格別異なるところはないので、同一の部材については同一の符号を付するにとどめ、詳細な説明を省略する。
【実施例３】
【００２３】
図１１は、本考案のさらに別の実施例を示したものであるが、この実施例が前述した実施例１と異なる点は、前部バックル・プレート１″の形状を楕円形とした点だけであり、他の点では、実施例２と同様に、格別異なるところはないので、同一の部材については同一の符号を付するにとどめ、詳細な説明を省略する。
【００２４】
図１０、１１に示した実施例２、３の他にも前後一対のバックル・プレートを互いに異なる形状、例えば、四角形と多角形、四角形とハート形、多角形と円形、多角形と楕円形、楕円形とハート形等に形成することができる。このように、前後一対のバックル・プレートが互いに異なる形状に形成されている場合には、バックル本体の前後を反転させて使用するだけでバックルの形状変化を楽しむことができる。異なるデザインを施した複数の装飾片の中から適宜選んだ装飾片Ｃを各バックル・プレートの表面に貼着して使用すれば、図柄、模様、色彩等のデザインの変化をも楽しむことができる。
【００２５】
前後一対のバックル・プレート１、２は、多角形、円形、楕円形、ハート形等の同一の形状をしたプレートで構成してもよい。
【００２６】
バックルＡは、ダイカスト機でダイカスト合金を使用して一体成形することができるが、インジェクション方式により硬質合成樹脂で一体成形することも可能である。
【００２７】
図示の例では、各バックル・プレート１、２に係止ピンが１本づつ突設されているが、複数本づつ設けてもよい。この場合には、ベルトＢの両端部Ｂ１、Ｂ１´にそれらの係止ピンに係合し得る止め孔をそれぞれ穿設するものとする。
【産業上の利用可能性】
【００２８】
本考案に係る衣服ベルト用バックルは、複数の止め孔をその両端部に長手方向に適宜の間隔で穿設してなるベルトと組み合せて使用するものにおいて、左右に部分的にずらせるとともに、その間に前記ベルトの両端部をそれぞれ左右から挿通し得るベルト挿通スペースを形成すべく前後に所要の間隔をあけて互いに平行に結合した前後一対のバックル・プレートからなるバックル本体を備え、後部のバックル・プレートに対し左方又は右方に張出する前部のバックル・プレートの張出端部の内側と、該張出端部の張出方向とは反対の方向に張出する後部バックル・プレートの張出端部の内側とに、係止ピンが１本又は複数本づつそれぞれ突設されており、一方のバックル・プレート側の係止ピンに前記ベルトの一方の端部側の止め孔を、他方のバックル・プレート側の係止ピンに前記ベルトの他方の端部側の止め孔をそれぞれ係合させて該ベルトを止着し得るようにする一方、前記バックル本体の前後を反転させてリバーシブルなバックルとして使用し得るようにしたものであるから、ベルトの締め具合の調整が容易であることは勿論のこと、ベルトの着脱が容易であるほか、バックル本体の前後を反転させて楽しむことができるとともに、製造コストを低く抑えて廉価に提供することができるものである。
【図面の簡単な説明】
【００２９】
【図１】本考案の一実施例としての衣服ベルト用バックルの正面図である。
【図２】図１のＡ−Ａ´線による同上バックルの断面図である。
【図３】同上バックルの右側面図である。
【図４】同上バックルの平面図である。
【図５】同上バックルの底面図である。
【図６】図６のＢ−Ｂ´線による係止ピンの断面図である。
【図７】ベルトを止着した状態を示すバックルの平面図である。
【図８】異なるデザインを施した付属品としての４枚の装飾片を例示した平面図である。
【図９】ベルトをバックルに止着するとともに、前部バックル・プレートの表面に装飾片を貼着した状態を示す斜視図である。
【図１０】本考案の他の実施例を示す正面図である。
【図１１】本考案のさらに別の実施例を示す正面図である。
【符号の説明】
【００３０】
Ａ            バックル
Ａ´          バックル本体
１            前部バックル・プレート
２            後部バックル・プレート
３            連結板
１Ａ          前部バックル・プレートの張出端部
２Ａ          後部バックル・プレートの張出端部
４            ベルト挿通スペース
Ｂ            ベルト
Ｂ１、Ｂ１´  ベルトの両端部
Ｂ２          止め孔
５、５´      係止ピン
Ｃ            装飾片
【図１】
0003113664.tif 000003
【図２】
0003113664.tif 000004
【図３】
0003113664.tif 000005
【図４】
0003113664.tif 000006
【図５】
0003113664.tif 000007
【図６】
0003113664.tif 000008
【図７】
0003113664.tif 000009
【図８】
0003113664.tif 000010
【図９】
0003113664.tif 000011
【図１０】
0003113664.tif 000012
【図１１】
0003113664.tif 000013
【手続補正書】
【提出日】平成17年6月17日(2005.6.17)
【手続補正１】
【補正対象書類名】明細書
【補正対象項目名】００１０
【補正方法】変更
【補正の内容】
【００１０】
また、請求項４の考案に係る衣服ベルト用バックルは、請求項１又は２に記載の衣服ベルト用バックルにおいて、各バックル・プレートの表面に着脱交換自在に貼着し得るようにした異なるデザインを施した複数の装飾片を付属品として具備することを特徴とするものである。
【手続補正２】
【補正対象書類名】明細書
【補正対象項目名】００１１
【補正方法】変更
【補正の内容】
【００１１】
さらにまた、請求項５の考案に係る衣服ベルト用バックルは、請求項１、２又は３に記載の衣服ベルト用バックルにおいて、各係止ピンがベルトの引張力が作用する方向とは反対の方向に折曲されたフック状の頭部を具備することを特徴とするものである